(57)【要約】      （修正有）【課題】安定感があって、見た目がすっきりした意匠性に優れる展示装置を提供する。また、並べて使用した場合であっても、意匠性に優れた展示パネルを提供する。【解決手段】枠体２０、及び脚部材３０を備える展示装置１０であって、枠体２０が、縦枠部２２を有し、当該縦枠部２２に沿って形成された内通孔を備え、脚部材３０が、挿入部と、地面と接する保持部を備え、挿入部を、内通孔に挿設してなることを特徴とする。【選択図】図１
0003221374.tif 000002
【実用新案登録請求の範囲】
【請求項１】
枠体、及び脚部材を備える展示装置であって、
前記枠体が、縦枠部を有し、当該縦枠部に沿って形成された内通孔を備え、
前記脚部材が、挿入部と、地面と接する保持部を備え、
前記挿入部を、前記内通孔に挿設してなることを特徴とする、展示装置。
【請求項２】
前記枠体が、略矩形状であることを特徴とする請求項１に記載の展示装置。
【請求項３】
前記脚部材が略逆Ｔ字形であり、
前記挿入部が、前記略逆Ｔ字形の前記脚部材における、地面に対して垂直方向に形成された部分であり、
前記保持部が地面に対して平行に形成された部分であり、
前記枠体の幅方向に対して、前記保持部が垂直となるように前記挿入部が前記内通孔に挿設してなることを特徴とする、請求項１又は２に記載の展示装置。
【請求項４】
前記脚部材が、さらに、前記枠体の厚さ方向に間隔をおいて対面に配置された一対の立ち上がり部を備え、前記挿入部が、前記一対の立ち上がり部の間に位置することを特徴とする、請求項１又は２に記載の展示装置。
【請求項５】
前記枠体が２つの前記縦枠部を有し、
前記脚部材の挿入部がそれぞれの前記縦枠部の内通孔に挿設してなることを特徴とする、請求項１〜４の何れか一項に記載の展示装置。
【請求項６】
前記挿入部が前記内通孔に挿設する状態において、前記枠体の幅方向の長さ内に、前記脚部材が収まり位置することを特徴とする、請求項１〜５の何れか一項に記載の展示装置。
【考案の詳細な説明】
【技術分野】
【０００１】
本考案は、組立が簡易であって、意匠性が高く、ぐらつき無く安定する展示装置に関する。
【背景技術】
【０００２】
従来、展示会や学会等の各種イベントや、常設の美術館、博物館等において、自立型の展示パネルが常用されている。
展示パネルは、樹脂等で構成されたパネル材を枠体にはめこむことで、紙やポスター、広告を貼り付け可能な状態で利用したり、パネル材自体を広告として利用することも可能である。また、来場者の動線を誘導する間仕切りとして利用されている。
【０００３】
一般に、このような自立型の展示パネルは、パネル材の四方が枠体で覆われ、固定されている。そして、枠体の両側面に、支柱や支持脚をボルトやビス等の固定具を用いて取り付けることで、自立可能としている。
【０００４】
特許文献１には、パネル（前記枠体に相当）の周側面に凹溝が形成され、支柱には掛フックが設けられた展示用パネルが記載されており、このような展示用パネルにおいては、上述したような固定具の取り付け、及び取り外し作業が不要となり作業効率が向上する。
【先行技術文献】
【特許文献】
【０００５】
【特許文献１】特開２０１４−０７８０４０号公報
【考案の概要】
【考案が解決しようとする課題】
【０００６】
しかしながら、従来の展示パネルや特許文献１に記載の展示パネルのように、枠体の両側面に支柱を取り付ける形態では、わずかな衝撃でぐらつきやすく、安定しにくいという問題があった。
【０００７】
また、枠体の両側面に支柱を取り付ける形態では、見た目が重くなり意匠性が低く、特に、並べて使用する場合には、各パネル間に支柱が入り込むため、すき間が空くことで美観を損ねる。
【０００８】
そこで、本考案は、安定感があって、見た目がすっきりした意匠性に優れる展示装置を提供することを課題とする。
また、本考案のさらなる課題は、並べて使用した場合であっても、意匠性に優れた展示パネルを提供することにある。
【課題を解決するための手段】
【０００９】
上記課題を解決する本考案は、
枠体、及び脚部材を備える展示装置であって、
前記枠体が、縦枠部を有し、当該縦枠部に沿って形成された内通孔を備え、
前記脚部材が、挿入部と、地面と接する保持部を備え、
前記挿入部を、前記内通孔に挿設してなる、展示装置である。
【００１０】
本考案の展示装置は、枠体の縦枠部が内通孔を備えており、脚部材を枠体に直接挿設してなる構造であることによって、脚部材の挿入部が外部から視認できなくなり、見た目がすっきりして意匠性に優れる。
また、脚部材を枠体に挿設してなるという構造から、枠体と脚部材が一体的となり、安定感が生まれ、ぐらつきを抑制することができる。
さらに、本考案は、各部材の脱着がしやすく、簡単に組み立てることが可能である。
【００１１】
本考案の好ましい形態では、前記枠体が略矩形状である。
【００１２】
本考案の好ましい形態では、
前記脚部材が略逆Ｔ字形であり、
前記挿入部が、前記略逆Ｔ字形の前記脚部材における、地面に対して垂直方向に形成された部分であり、
前記保持部が地面に対して平行に形成された部分であり、
前記枠体の幅方向に対して、前記保持部が垂直となるように前記挿入部が前記内通孔に挿設してなる。
このような構造を有する展示装置は、重心が安定し、よりぐらつきを抑制することができる。
【００１３】
本考案の好ましい形態では、前記脚部材が、さらに、前記枠体の厚さ方向に間隔をおいて対面に配置された一対の立ち上がり部を備え、前記挿入部が、前記一対の立ち上がり部の間に位置する。
このような構成とすることで、枠体に取り付けるシート部材が高い位置に配置され、視認性が向上する。
また、シート部材が汚れたり傷つくことを防ぐことができる。
【００１４】
本考案の好ましい形態では、
前記枠体が２つの前記縦枠部を有し、
前記脚部材がそれぞれの前記縦枠部の内通孔に挿設してなる。
このような構造を有する展示装置は、重心が安定し、よりぐらつきを抑制することができる。
【００１５】
本考案の好ましい形態では、前記挿入部が前記内通孔に挿設する状態において、前記枠体の幅方向の長さ内に、前記脚部材が収まり位置する。
このような構造を有する展示装置は、間隔をあけずに綺麗に並べることができ、意匠性に優れる。
【考案の効果】
【００１６】
本考案の展示装置は、従来の展示装置として安定感、及び意匠性に優れる。本考案の好ましい形態における展示装置は、特に、並べて使用する際の意匠性に優れる。
【図面の簡単な説明】
【００１７】
【図１】本考案の一実施形態に係る展示装置の全体図である。
【図２】本考案の一実施形態に係る展示装置の、縦枠部が有する内通孔を示す図である。
【図３】本考案一実施形態に係る展示装置の、分解図である。
【図４】本考案の一実施形態に係る展示装置の、脚部材の枠体への挿設状態を示す図である。
【図５】本考案の一実施形態に係る展示装置の、脚部材の枠体への挿設状態を示す図である。
【図６】本考案の一実施形態に係る展示装置の、脚部材を示す図である。
【考案を実施するための形態】
【００１８】
本考案における展示装置は、その用途は特に限定されず、上述した展示パネル、間仕切り、看板、及びディスプレイ等として使用することができる。
【００１９】
以下、図面を参照して、本考案の実施形態について詳細に説明するが、本考案の技術的範囲は、添付図面に示した実施形態に限定されるものではなく、実用新案登録請求の範囲に記載された範囲内において、適宜変更が可能である。
【００２０】
図１に、本実施形態に係る展示装置１０の全体図を示す。
本実施形態に係る展示装置１０は、矩形状の枠体２０、及び一対の逆Ｔ字形の脚部材３０を有する。なお、以後方向を示す場合には、正面から見た枠体２０の横幅に沿った方向を幅方向、縦幅に沿った方向を高さ方向、奥行に沿った方向を厚さ方向、として説明する。
【００２１】
枠体２０は、下枠部２１、２つの縦枠部２２、及び上枠部２３を有しており（これらを総称して、以下、枠部という）、これら枠部から構成される内部の空間に、慣用の手段を用いてシート部材を取り付けることができる。
【００２２】
下枠部２１と縦枠部２２、及び縦枠部２２と上枠部２３は、これら枠部同士が相互に接続できる形態であってもよく、ジョイント等の接続部材を用いて接続できる形態であってもよい。
【００２３】
図２に、本実施形態における枠体２０の内通孔２２１を示す。
枠体２０は、２つの縦枠部２２に、それぞれ脚部材３０を挿入可能な内通孔２２１を有している。
内通孔２２１は、下枠部２１の下部の両端に高さ方向に沿って形成された挿入口２１１と、連続的に形成されている。
【００２４】
図３に、本実施形態における展示装置の分解図を示す。
脚部材３０は、内通孔２２１に挿設可能な挿入部３１及び、地面と接触し、展示装置１０の自立を可能とする保持部３２を有している。
図３に示す通り、挿入部３１は、先端の辺が丸状である板状であって、地面に対して垂直方向に形成された部分である。保持部３２は、両端の辺が丸状である板状であって、地面に対して平行に形成された部分である。
また、挿入部３１は、保持部３２の片側の辺に沿って、かつ高さ方向に延設されている。
【００２５】
脚部材３０は、貫通孔３３を有している。貫通孔３３は、脚部材３０を枠体２０に挿設後、ボルト、ナット、ネジ等の締付用具を通すことが可能であり、これにより脚部材３０をより強固に固定することができる。
【００２６】
図４及び図５は、枠体２０へ脚部材３０を挿設した状態を示す拡大図である。
図４、及び図５に示す通り、挿入部３１を内通孔２２１に挿設すると、下枠部の辺と保持部の辺とが交差する箇所が、直角となる。すなわち、枠体２０の幅方向と、保持部３２の厚さ方向とが垂直となる。
【００２７】
このように、脚部材３０が枠体２０の内部に挿設してなる構造とすることで、見た目がすっきりして意匠性に優れる。
また、脚部材３０が枠体２０の内部に挿設してなる構造とすることで、枠体２０と脚部材３０とが一体的となり、重心が安定する。この構造により、展示装置１０のぐらつきが抑制される。
また、枠体２０の幅方向と、保持部３２の厚さ方向が垂直であることで、さらに重心が安定し、ぐらつきが抑制される。
【００２８】
図４及び図５に示す通り、脚部材３０は、枠体２０の幅方向の長さ内に、脚部材３０が収まり位置する。すなわち、枠体２０の幅方向に、脚部材３０がはみ出ない構成となっている。
このような構成とすることで、展示装置１０を並べて使用する際、枠体の側面に脚部材が取り付けられる従来の展示装置と比して、シート部材間の間隔が広がりすぎず、すき間なく並べることができるため、美観に優れる。
【００２９】
本実施形態においては、さらにぐらつきを抑制するために、脚部材３０と、枠体２０をボルトで固定しているが、本考案はこれに限定されない。ボルトで固定を行わなくとも、枠体に脚部材を挿入する構造とすることにより、十分に展示装置１０のぐらつきが抑制される。
【００３０】
本実施形態においては、枠体２０が、下枠部２１、縦枠部２２、及び上枠部２３を有する矩形状の形態について例示したが、本考案はこれに限定されない。枠体は、内通孔を備える縦枠部を有する形態であればよく、その形状は矩形状以外の形状であってもよい。
【００３１】
例えば、上枠部を有さない形態、下枠部を有さない形態、上枠部が三角形の屋根状である形態及び上枠部が弧状である形態等、上枠部がどのような構成であったとしても、内通孔を有する縦枠部を備える展示装置であれば、本考案の効果を奏する。
下枠部を備える形態にあっては、下枠部は、縦枠部の内通孔と連通する挿入口を有することが好ましい。
【００３２】
なお、本考案において、下枠部、上枠部、縦枠部とは、相対的な位置関係すぎない。例えば、枠体２０を９０℃回転させた場合、下枠部２１、及び上枠部２３が縦枠部となり、二つの縦枠部２２が、下枠部及び上枠部となる。
したがって、枠体を構成する全ての枠部の両端部に挿入口を備え、全ての枠部に内通孔を備え、その設置方法に応じて、何れの枠部もそれぞれ下枠部、縦枠部、上枠部となるような構成であってもよい。
また、下枠部、縦枠部及び上枠部とは、独立した部材である必要はなく、一体となった形態であってもよい。
【００３３】
また、本考案の枠体は、Ｌ字型や、逆Ｔ字型の枠体であってもよいが、パネル材を強固に固定する必要があることから、少なくとも２つ以上の縦枠部を有することが好ましい。
また、展示装置の安定性の観点から、本考案の枠体は、枠体の幅方向の長さの中心に対して、幅方向に略対称となるように、それぞれ１つの縦枠部を有することが好ましい。
【００３４】
本考案の実施形態においては、一対の逆Ｔ字形の脚部材３０を備える形態について例示したが、本考案の脚部材はこれに限定されず、少なくとも枠体に挿入可能な挿入部と、地面と接触し枠体の自立を支える保持部とを備えていれば良い。
【００３５】
脚部材は、少なくとも２つの挿入部と、少なくとも１つの保持部を備えることが好ましい。例えば、長方形の板状であって、その幅が下枠部の幅に相当する長さに形成された保持部と、長方形の二つの対向する辺の中央部にそれぞれ挿入部を有する形態、及び、Ｈ字型であって、下枠部の幅に相当する長さに形成された保持部と、Ｈ字型における２つの縦線部と、１つの横線部とが交差する点に挿入部を備える形態等が例示できる。
【００３６】
また、持ち運びや組立ての利便性の観点から、本考案の展示装置は、脚部材としてそれぞれ独立した一対の脚部材を備えることが好ましい。
下枠部の両端にそれぞれ独立した脚部材を挿設してなる構成とすることで、枠体の形状、及び大きさ等に左右されず組立てが可能となるため、汎用性に優れる。
また、安定性の観点から、脚部材の形状が略逆Ｔ字形であることが好ましい。
【００３７】
また、脚部材は、挿入部と保持部とが一体に形成されている必要はなく、挿入部を保持部に挿し込む等、固定が可能な形態であってもよい。
展示装置の重心を安定させ、ぐらつきを好適に抑制するという観点から、脚部材は挿入部と保持部とが一体に形成されたものであることが好ましい。
【００３８】
また、脚部材は挿入部と保持部以外の構成を有していてもよい。
図６に、挿入部３１、保持部３２、及び一対の立ち上がり部３４を備える、脚部材３０１を示す。
【００３９】
一対の立ち上がり部３４は、枠体２０が設置された際に、枠体２０の厚さ方向に間隔を置くように、対面して配置される。
挿入部３１は、一対の立ち上がり部の間に配置される。
【００４０】
脚部材３０１に枠体２０を挿設すると、下枠部２１は、幅方向の全長に渡って、一対の立ち上がり部３４に覆われる。
一対の立ち上がり部３４の間隔の長さは、枠体２０の厚さ方向の全長と略同一であり、かつ枠体２０が収まる長さである。
また、図示しないが、この形態では、シート部材は、立ち上がり部３４よりも高い位置に配置される。
【００４１】
本形態によれば、シート部材が高い位置に配置されるため、観察者の視線に近づき、視認性が向上する。
【００４２】
また、本形態によれば、シート部材が傷つくことや汚れることを抑制することができる。すなわち、枠体２０が地面近くにある場合には、移動する観察者の足や物がぶつかることにより、シート部材が容易に傷つき汚れてしまい、広告面の視認性を損ねてしまう。そのため、立ち上がり部３４を備え、シート部材を地面から離すことで、広告面が傷つくことや汚れることを抑制できる。
【００４３】
また、脚部材が、それぞれ独立した一対の脚部材である形態であっても、上述した立ち上がり部を備えることができる。
【００４４】
また、図示しないが、本考案の展示装置を、照明を備える広告表示具として使用する場合、立ち上がり部３４の内部に、電源装置を納める形態とすることができる。
この形態にあっては、電源装置を外部から視認されることがないため、スタイリッシュな広告表示具として、広告面の意匠効果を高めた広告表示具とすることができる。
【００４５】
立ち上がり部３４の形状については、図６に示した形状に限定されず、例えば、厚さ方向に厚みを持って形成された直方体状であってもよい。また、扇形のように、曲線を有する形状、三角柱等の角柱状、及び角錐台状等であってもよい。
【００４６】
また、本実施形態における脚部材３０、及び脚部材３０１において、挿入部３１が、保持部３２の辺に沿って、高さ方向に形成されている構造について例示したが、本考案の脚部材は、挿入部が保持部の面の中央付近に形成されている構造であってもよい。
【００４７】
本考案においては、挿入部が、保持部の片側の辺に沿って形成されていることが好ましい。
挿入部が保持部の面の中央付近に形成されている場合、枠体を厚く成形しなければ、保持部が下枠部の幅方向の長さ内からはみ出してしまう恐れがある。
また、枠体を厚く成形すると重量が増し、取り扱い性が低下することから、組立に過大な労力を要する。
一方で、挿入部が保持部の片側の辺に沿って形成されている構造とすることで、枠体を薄く成形しても、挿設状態において保持部が下枠部の幅方向の長さからはみ出ることはない。また、枠体を薄く成形することができるから、取り扱い性が向上し、組立ても容易となる。
【００４８】
挿入部の長さは特に限定されないが、ぐらつきを抑制するという観点から、縦枠部の高さ方向の長さに対して、１０分の１以上であることが好ましい。
【産業上の利用可能性】
【００４９】
本考案は、展示用パネル、パーテーション、広告等に応用することができる。
【符号の説明】
【００５０】
１０      展示装置
２０      枠体
２１      下枠部
２２      縦枠部
２３      上枠部
２１１    挿入口
２２１    内通孔
３０      脚部材
３０１    脚部材
３１      挿入部
３２      保持部
３３      貫通孔
３４      立ち上がり部
【図１】
0003221374.tif 000003
【図２】
0003221374.tif 000004
【図３】
0003221374.tif 000005
【図４】
0003221374.tif 000006
【図５】
0003221374.tif 000007
【図６】
0003221374.tif 000008